(57)【特許請求の範囲】
【請求項１】
枠部材に張材を張設してなる背凭れと、前記張材の前面に取付けられた支持部材と、前記支持部材に支持されるヘッドレストとを備えるとともに、
前記ヘッドレストは、
頭部を押し当て可能なヘッドレスト本体と、
前記ヘッドレスト本体の後面に、一端部が離脱不能または着脱自在に止着され、他端部が着脱自在に止着される嵌挿部材とよりなり、
前記嵌挿部材の上下方向の長さを、前記支持部材の上下方向の長さよりも大とすることによって、前記ヘッドレストを前記支持部材に対して上下動可能とし、
前記嵌挿部材を、前記張材と前記支持部材との間に嵌挿した状態で前記両端部が前記ヘッドレスト本体に止着されてなることにより、前記ヘッドレストが前記支持部材を介して前記背凭れに取付けられることを特徴とする椅子。
【請求項２】
枠部材に張材を張設してなる背凭れと、前記張材の前面に取付けられた支持部材と、前記支持部材に支持されるヘッドレストとを備えるとともに、
前記ヘッドレストは、
頭部を押し当て可能なヘッドレスト本体と、
前記ヘッドレスト本体の後面に、一端部が離脱不能または着脱自在に止着され、他端部が着脱自在に止着される嵌挿部材と、
前記嵌挿部材の上下方向の中間部の位置に対応する前記ヘッドレスト本体の後面に、左右両端部を前記ヘッドレスト本体に固定した位置固定部材と、を備え、
前記嵌挿部材を、前記張材と前記支持部材との間に嵌挿した後に、前記ヘッドレスト本体の後面と前記位置固定部材との間に嵌挿して、前記嵌挿部材の前記着脱自在の端部を止着するか、
または、前記嵌挿部材を、前記ヘッドレスト本体の後面と前記位置固定部材との間に嵌挿した後に、前記張材と前記支持部材との間に嵌挿して、前記嵌挿部材の前記着脱自在の端部を止着するか、のいずれかを選択することにより、前記ヘッドレストの高さを調節可能とし、前記ヘッドレストが前記支持部材を介して前記背凭れに取付けられることを特徴とする椅子。
【請求項３】
支持部材が板状の支持板である請求項１または２に記載の椅子。
【請求項４】
嵌挿部材が、その前面に支持部材との間で摩擦抵抗を増大させる滑り止め手段を備えている請求項１〜３のいずれかに記載の椅子。
【請求項５】
支持部材が剛性を有する板状体よりなる請求項１〜４のいずれかに記載の椅子。
【請求項６】
嵌挿部材が剛性を有する板状芯材を有する請求項１〜５のいずれかに記載の椅子。
【請求項７】
支持部材が、背凭れの厚さ方向に張設された複数の張材のうち、最前の張材に取付けられている請求項１〜６のいずれかに記載の椅子。
【発明の詳細な説明】
【技術分野】
【０００１】
本発明は、ヘッドレストを備える椅子に関する。
【背景技術】
【０００２】
従来、ヘッドレストを備える椅子としては、たとえば特許文献１、２に開示されるものが公知である。これらの椅子においては、ヘッドレストが、背凭れの上部における厚さ方向の前面側で上下動可能に構成されている。特許文献１の椅子においては、シートバック３内に配設されている強度部材としてのステー１１にヘッドレスト５が支持されている。また特許文献２の椅子においては、シートバック２の上縁に嵌合する本体受カバー４に対して、ヘッドレスト本体３が本体受カバー４に対して止着部材８ａと受部材８ｂとの脱着によって上下位置調整可能に設けられている。これらのヘッドレストは、背凭れの上方で、背凭れの厚さ方向の範囲内で上下動するのではなく、背凭れの前方に突出して設けられているため、着座者の頭部をより強く支持できるという点で、大きな効果を奏するものである。
【０００３】
一方、本件特許出願人は、特許文献３に開示される椅子を提案している。この椅子においては、背凭れが、フレーム１の前後に張材を張設することによって構成されており、張材３の端部のみが剛性が高い状態となっている。フレーム１に支持された端部より内方の部位においては、張材が負荷を受けて引き延ばされる際の張力が強度要因となっている。このような背凭れにもヘッドレストが設けられることが望ましいが、たとえば特許文献１のような強度部材としてのステー１１を前後の張材内に設けることは技術的に困難であり、また特許文献２のように、背凭れの上縁に嵌合する部材を設けることは外観体裁上好ましくない。
【先行技術文献】
【特許文献】
【０００４】
【特許文献１】実公昭６３−０２０３７７号公報
【特許文献２】実開平０４−０６６９４３号公報
【特許文献３】特開２０１４−０７９３４３号公報
【発明の概要】
【発明が解決しようとする課題】
【０００５】
本発明は、前記のように従来の手法ではヘッドレストを好ましい形態で設けることが困難であった、枠部材に張材を張設してなる背凭れの前面に、一定の強度を確保しつつ、かつ外観体裁の良好な態様でヘッドレストを取付けてなる椅子を提供することを目的とする。
【課題を解決するための手段】
【０００６】
本発明によると、前記課題は、次のような手段によって解決される。
（１）枠部材に張材を張設してなる背凭れと、前記張材の前面に取付けられた支持部材と、前記支持部材に支持されるヘッドレストとを備えるとともに、前記ヘッドレストは、頭部を押し当て可能なヘッドレスト本体と、前記ヘッドレスト本体の後面に、一端部が離脱不能または着脱自在に止着され、他端部が着脱自在に止着される嵌挿部材とよりなり、前記嵌挿部材を前記張材と前記支持部材間に嵌挿した状態で前記両端部が前記ヘッドレスト本体に止着されてなることにより、前記ヘッドレストが前記支持部材に取付けられていることを特徴とする椅子とする。
【０００７】
（２）上記（１）項において、支持部材を板状の支持板とする。
【０００８】
上記（１）項、（２）項のような構成とすると、背凭れの張材の前面に支持部材を取付けるとともに、この支持部材にヘッドレストを取付けたので、背凭れの前面に一定の強度を確保した状態で、ヘッドレストを取付けることができる。
また、支持部材はヘッドレスト本体により覆い隠され、かつ嵌挿部材はヘッドレストの裏面に設けられているため、これら支持部材および嵌挿部材は外部に露出することがなく、外観体裁も良好である。
【０００９】
（３）上記（１）項または（２）項において、嵌挿部材の上下方向の長さを、支持部材の上下方向の長さよりも大とすることによって、ヘッドレストを前記支持部材に対して上下動可能とする。
【００１０】
このような構成とすることにより、ヘッドレストを所望に応じて上下動して、ヘッドレストを最適の位置で利用することができるとともに、嵌挿部材の一端部がヘッドレスト本体に離脱不能または着脱自在に止着され、他端部がヘッドレスト本体に止着されているため、これらの両端部が上下動の移動範囲のストッパとしても機能する。
【００１１】
（４）上記（１）項または（２）項において、ヘッドレスト本体の後面に、一端部が離脱不能または着脱自在に止着され、他端部が着脱自在に止着されている嵌挿部材の上下方向の中間部の位置に対応する前記ヘッドレスト本体の後面に、左右両端部を前記ヘッドレスト本体に固定した位置固定部材を取付け、前記嵌挿部材を、張材と支持部材間に嵌挿した後に前記ヘッドレスト本体の後面と前記位置固定部材間に嵌挿して、前記嵌挿部材の前記着脱自在の端部を止着するか、または前記嵌挿部材を、前記ヘッドレスト本体の後面と前記位置固定部材間に嵌挿した後に前記張材と前記支持部材間に嵌挿して、前記嵌挿部材の前記着脱自在の端部を止着するかのいずれかを選択することにより、前記ヘッドレストの高さを調節しうるようにする。
【００１２】
このような構成とすることにより、ヘッドレストの上下方向への移動を、位置固定部材をもって有効に防止して、ヘッドレストの高さを所望の位置に調節することができる。
【００１３】
（５）上記（１）項または（２）項において、張材の前面に支持部材を、前記張材と前記支持部材間に、左右方向に貫通する嵌挿路が形成されるように取付けるとともに、ヘッドレスト本体の後面に、一端部が離脱不能または着脱自在に止着され、他端部が着脱自在に止着される嵌挿部材を左右方向に取付け、前記嵌挿部材を前記嵌挿路に嵌挿した後に、前記嵌挿部材の前記着脱自在の端部を止着する。
【００１４】
このような構成とすることにより、ヘッドレストの上下方向への移動を確実に防止して、ヘッドレストを背凭れの張材に取付けることができる。
【００１５】
（６）上記（５）項において、張材の前面に支持部材を、前記張材と前記支持部材間に、左右方向に貫通する嵌挿路が上下方向に複数段形成されるように取付けるとともに、ヘッドレスト本体の後面に、一端部が離脱不能または着脱自在に止着され、他端部が着脱自在に止着される嵌挿部材を左右方向に取付け、前記嵌挿部材を嵌挿させる嵌挿路を、上下方向に複数段形成されている前記嵌挿路から選択することにより、ヘッドレストの高さを調節しうるようにする。
【００１６】
このような構成とすることにより、ヘッドレストの上下方向への移動を確実に防止するとともに、ヘッドレストの高さを所望の位置に調節することができる。
【００１７】
（７）上記（１）項〜（６）項のいずれかにおいて、嵌挿部材が、その前面に支持部材との間で摩擦抵抗を増大させる滑り止め手段を備えているものとする。
【００１８】
このような構成とすると、ヘッドレストの位置ずれを有効に防止することができる。
【００１９】
（８）上記（１）項〜（７）項のいずれかにおいて、支持部材が剛性を有する板状体よりなるものとする。
【００２０】
このような構成とすると、支持部材の変形を防止することができ、ヘッドレストを一層位置安定よく保持することができる。
【００２１】
（９）上記（１）項〜（８）項のいずれかにおいて、嵌挿部材が剛性を有する板状芯材を有するものとする。
【００２２】
このような構成とすると、ヘッドレストの位置安定性が一層良好となる。
【００２３】
（１０）上記（１）項〜（９）項のいずれかにおいて、支持部材が、背凭れの厚さ方向に張設された複数の張材のうち、最前の張材に取付けられているものとする。
【００２４】
このような構成とすると、支持部材が、背凭れの張材のうち、最前の張材に取付けられているので、支持部材が椅子の背面視において露呈することがなく、外観を損なうことがない。また、後層の張材も張設されているため、支持部材を取付けることにより生ずる最前の張材の変形も可及的に防止することができることから、外観体裁を良好に保つことができる。
【発明の効果】
【００２５】
本発明によれば、枠部材に張材を張設してなる背凭れの前面に、一定の強度を確保しつつ、かつ外観体裁の良好な態様でヘッドレストを取付けてなる椅子を提供することができる。
【図面の簡単な説明】
【００２６】
【図１】本発明の椅子の一実施例を示す上方斜視図である。
【図２】本発明におけるヘッドレストを支持部材を介して、背凭れの張材前面に取付ける第１実施例の手段を示す分解斜視図である。
【図３】図２におけるＡ−Ａ線断面を示す拡大断面図である。
【図４】ヘッドレストを支持部材を介して、背凭れの張材前面に取付ける第２実施例の手段を示す分解斜視図である。
【図５】ヘッドレストを支持を介して、背凭れの張材前面に取付ける第３実施例の手段を示す分解斜視図である。
【発明を実施するための形態】
【００２７】
以下、本発明の実施形態を図面に基づいて説明する。
図１は、本発明の椅子の一実施例を示す上方斜視図、図２は、本発明におけるヘッドレストを支持部材を介して、背凭れの張材前面に取付ける第１実施例の手段を示す分解斜視図である。また、図３は、図２におけるＡ−Ａ線断面を示す拡大断面図である。
これらの図面に示すように、本発明は、枠部材１に張材２を張設してなる背凭れ３における張材２の前面２ａに、所定の手段をもってヘッドレスト４を取付けてなる椅子である。
背凭れ３の枠部材１であるフレームに、張材２を張設した椅子は、一般に広く使用されているとともに、張材２の張設方法は、本発明の要旨ではないため、その具体的方法については説明を省略する。
たとえば、本件特許出願人の出願である特許文献１に具体的な張材の張設方法が詳細に記載されているが、通常は、袋状の張材を枠部材に被覆する方法が簡単であり、多く採用されている。
【００２８】
本発明においては、背凭れ３に支持板（支持部材）５を介して、ヘッドレスト４を取付ける。
支持板５は、背凭れ３の張材２の前面２ａに取付けられる。
図２に示すように、支持板５は、適宜の固定手段で張材２の前面２ａの適所に取付けられる。本実施例では、横長の支持板５を左右端各２個、左右中央１個の計５個のボタン６をもって張材２に取付けてある。
【００２９】
一方、ヘッドレスト４は、頭部を押し当て可能なヘッドレスト本体７と、一端部が前記ヘッドレスト本体７に離脱不能または着脱自在に止着され、他端部が前記ヘッドレスト本体７に着脱自在に止着される嵌挿部材８とよりなる。
本実施例では、嵌挿部材８は、縦長のものが２個設けられ、一端部８ａがヘッドレスト本体７の裏面に縫い付けることにより離脱不能に止着され、他端部８ｂには結合手段である面ファスナーのマジックテープ(登録商標)８ｃが取付けられており、ヘッドレスト本体７に取付けた結合手段である面ファスナーのマジックテープ(登録商標)７ａに押圧することにより着脱自在に止着されるようになっている。
【００３０】
前記嵌挿部材８を、張材２と支持板５間に嵌挿した状態で着脱自在の前記他端部８ｂをマジックテープ(登録商標)８ｃ、７ａにより止着することにより、ヘッドレスト本体７が支持板５に取付けられる。
また、嵌挿部材８の上下方向の長さを、支持板５の上下方向の長さよりも大とすることによって、ヘッドレスト４を前記支持板５に対して上下動可能としてある。
さらに、嵌挿部材８の前面には支持板５との間で摩擦抵抗を増大させる滑り止め手段８ｄを備えており、ヘッドレスト４の位置ずれが防止されるようになっている。また、ヘッドレスト本体７ａを支持板５に位置安定よく保持させるためには、支持板５を剛性を有する板状体により形成して、支持板５の変形を防止するとともに、嵌挿部材８が剛性を有する板状芯材を有することが好ましい。
前記剛性の程度は、着座者がヘッドレスト４に頭部をのせたときに、その負荷により、支持板５や嵌挿部材８が変形してヘッドレスト４の位置がずれることを防止することができればよい。
【００３１】
図４は、ヘッドレストを支持板を介して、背凭れの張材前面に取付ける第２実施例の手段を示す分解斜視図である。ヘッドレスト本体９の後面に、一端部１０ａが縫い付けることにより離脱不能に止着され、他端部１０ｂがマジックテープ(登録商標)１０ｃ、９ａにより着脱自在に止着されている嵌挿部材１０の上下方向の中間部の位置に対応する前記ヘッドレスト本体９の後面に、左右両端部１１ａを前記ヘッドレスト本体９に固定した位置固定部材１１が取付けられている。
【００３２】
また、背凭れ１２の張材１３の前面には、上下方向の幅がやや狭い支持板１４が左右両端部１４ａと左右中央部１４ｂを縫い付けることにより、取付けられている。
【００３３】
ヘッドレスト本体９を低い位置に取付ける場合には、嵌挿部材１０を張材１３と支持板１４間に嵌挿した後にヘッドレスト本体９の後面と位置固定部材１１間に嵌挿して、嵌挿部材１０の前記他端部１０ｂをマジックテープ(登録商標)１０ｃ、９aにより止着することによって、位置固定部材１１によりヘッドレスト本体９の上方への移動を有効に防止してヘッドレスト本体９を張材１３に低い位置で取付けることができる。
【００３４】
一方、ヘッドレスト本体９を高い位置に取付ける場合には、嵌挿部材１０をヘッドレスト本体９の後面と位置固定部材１１間に嵌挿した後に張材１３と支持板１４間に嵌挿して、嵌挿部材１０の前記他端部１０ｂをマジックテープ(登録商標)１０ｃ、９aにより止着することによって、位置固定部材１１によりヘッドレスト本体９の下方への移動を有効に防止してヘッドレスト本体９を張材１３に高い位置で取付けることができる。
【００３５】
このように位置固定部材１１を設けることにより、ヘッドレスト本体９の上下方向への移動を有効に防止することができる。
また、位置固定部材１１は、上下に複数設けてもよく、たとえば上下に２個設けた場合は、ヘッドレスト本体９の高さを３段階に調節することができる。
【００３６】
図５は、ヘッドレストを支持板を介して、背凭れの張材前面に取付ける第３実施例の手段を示す分解斜視図である。背凭れ１５の張材１６の前面に、支持板１７が前記張材１６と前記支持板１７間に左右方向に貫通する嵌挿路１７ａが上下方向に複数段形成されるように縫い付けることにより取付けられている。
【００３７】
一方、ヘッドレスト本体１８の後面に、一端部１９ａが縫い付けにより離脱不能に止着され、他端部１９ｂがボタン２０とボタン孔１９ｃにより着脱自在に止着される嵌挿部材１９が左右方向に取付けられている。
【００３８】
ヘッドレスト本体１８を高い位置に取付ける場合には、嵌挿部材１９を上下方向に複数段形成された前記嵌挿路１７ａのうち、上方に位置する２段の嵌挿路１７ａに嵌挿させた後に、嵌挿部材１９の他端部１９ｂをボタン止めして止着することにより、ヘッドレスト本体１８の上下方向への移動を確実に防止してヘッドレスト本体１８を張材１６に高い位置で取付けることができる。
【００３９】
一方、ヘッドレスト本体１８を低い位置に取付ける場合には、嵌挿部材１９を下方に位置する２段の嵌挿路１７ａに嵌挿させた後に、嵌挿部材１９の他端部１９ｂをボタン止めして止着することにより、ヘッドレスト本体１８の上下方向への移動を確実に防止してヘッドレスト本体１８を張材１６に低い位置で取付けることができる。
【００４０】
また、本実施例では、嵌挿部材１９を２個設けたが、これを１個にすると、ヘッドレスト本体１８の高さを３段階に調節することができる。さらに、前記嵌挿路１７ａの段数を適宜増加することもできる。
【符号の説明】
【００４１】
１    枠部材
２    張材
２ａ  前面
３    背凭れ
４    ヘッドレスト
５    支持板（支持部材）
６    ボタン
７    ヘッドレスト本体
７ａ  マジックテープ(登録商標)
８    嵌挿部材
８ａ  一端部
８ｂ  他端部
８ｃ  マジックテープ(登録商標)
８ｄ  滑り止め手段
９    ヘッドレスト本体
９ａ  マジックテープ(登録商標)
１０    嵌挿部材
１０ａ  一端部
１０ｂ  他端部
１０ｃ  マジックテープ(登録商標)
１１    位置固定部材
１１ａ  端部
１２    背凭れ
１３    張材
１４    支持板
１４ａ  端部
１４ｂ  中央部
１５    背凭れ
１６    張材
１７    支持板
１７ａ  嵌挿路
１８    ヘッドレスト本体
１９    嵌挿部材
１９ａ  一端部
１９ｂ  他端部
１９ｃ  ボタン孔
２０    ボタン
【図１】
0006537827.tif 000002
【図２】
0006537827.tif 000003
【図３】
0006537827.tif 000004
【図４】
0006537827.tif 000005
【図５】
0006537827.tif 000006